(57)【要約】【課題】外から容易に外れることがなく、防水や防滴性能を安定させ、組立作業性にも優れたキートップ構造体を提供する。【解決手段】キートップ本体部とこれに内設されるホルダー部とを備え、所定箇所に取り付けられるキートップ構造体であって、前記キートップ本体部は、外部に露出される外面部と、前記所定箇所に合わせた形状を有する外周側面部と、前記ホルダー部を密接して受け入れるための内設部とを備え、前記ホルダー部は、前記内設部の内部形状に合わせられた外観形状をなし、前記所定箇所で係止して外れを防止する係止部を備える、キートップ構造体とした。【選択図】      図１
2007123118.tif 000002
【特許請求の範囲】
【請求項１】
キートップ本体部とこれに内設されるホルダー部とを備え、所定箇所に取り付けられるキートップ構造体であって、
前記キートップ本体部は、外部に露出される外面部と、前記所定箇所に合わせた形状を有する外周側面部と、前記ホルダー部を密接して受け入れるための内設部とを備え、
前記ホルダー部は、前記内設部の内部形状に合わせられた外観形状をなし、前記所定箇所で係止して外れを防止する係止部を備える、ことを特徴とするキートップ構造体。
【請求項２】
キートップ本体部とこれに内設されるホルダー部とを備え、所定箇所に取り付けられるキートップ構造体であって、
前記キートップ本体は、外部に露出される外面部と、前記所定箇所に合わせた形状を有する外周側面部と、前記ホルダー部を密接して受け入れるための筒状の内設部と、前記所定箇所で係止して外れを防止する係止部とを備え、
前記ホルダー部は、前記内設部の内部形状に合わせられた外観形状をなす、ことを特徴とするキートップ構造体。
【請求項３】
請求項１または２に記載のキートップ構造体において、
前記キートップ本体の外周側面部に防水用のリブを設ける、ことを特徴とするキートップ構造体。
【請求項４】
請求項１または２に記載のキートップ構造体において、
前記キートップ本体の内設部の中に、前記外面部の内側から突出させて突設部を設ける、ことを特徴とするキートップ構造体。
【発明の詳細な説明】
【技術分野】
【０００１】
本発明は、電子機器のパネルなどに設けられるキースイッチの構造を形成するためのキートップ構造体にかかり、より詳細には、パネルのキー孔にキートップを配設して、押圧自在または出し入れ自在のキースイッチとして構成するために取り付けられるキートップ構造体に関するものである。
【背景技術】
【０００２】
従来のキートップ構造体の例として、無線通信機器のマイクロフォンなどに設けられるＰＴＴ（プュシュ・ツー・トーク；Push To Talk）キースイッチがあり、これを取り上げて、図３(１)〜(５)によりその構造を説明する。
図３(１)は従来の無線通信機器Ｍ３０を示す外観斜視図であり、その外側面にあるパネルにはＰＴＴスイッチＳ３０が設けられている。つぎの図３(２)は、そのＰＴＴスイッチＳ３０のキートップ部材３０を示す外観斜視図であり、また図３(３)は、無線通信機器Ｍ３０におけるＰＴＴスイッチＳ３０のＡ−Ａ断面図である。
【０００３】
図３(２)と図３(３)とを参照するに、キートップ部材３０は、ゴムや合成樹脂などの弾性体の材料から作られ、円形または楕円形の外観で薄型の円盤状または有底円筒状を成す本体部３１と、本体部３１の外径を縮小して形成された円筒部３１ａと、本体部３１とほぼ同じ大きさの円環形状をなしケース体４０の穴部４１に内側から係止するための係止部３２とを備えている。「本体部３１＋円筒部３１ａ＋円環状の係止部３２」の外周側の形状は、ケース体４０の穴部４１と形状的に合わせられて形成されており、これらの部材が係合または係止する構造によって、キートップ部材３０はケース体４０の穴部４１に配置され取り付けられている。
【０００４】
このキートップ部材３０の本体部３１の外面(表面)は平板状または平面状をなし、ＰＴＴスイッチＳ３０の押圧部となっている。また、本体部３１の内面には、その中央部から無線通信機器Ｍ３０の内部へ向けて円柱状または棒状の突設部３３が形成されており、この突設部３３は、その先端部が無線通信機器Ｍ３０の内部ＰＴＴスイッチ４２に当接する構造となっている。図３(３)において、本体部３１が左方向から押圧されたときには、この突設部３３は図の左から右へと移動することとなるので、右側の先端部がＰＴＴスイッチ４２に当接してこれを押圧する構造となっている。
【０００５】
従来のキートップを保持する構造では、キートップ部材はゴムまたは合成樹脂などの軟質の材料から形成され、図３(３)に示すように、ケースのパネル４０に設けたキー孔４１に、アンダーカットで取り付けられる構造となっていた。そのため、従来のキートップ構造では、図３(４)に示すように、外力Ｆがかけられた場合には、材質が伸びたり変形したりして、外側に容易に外れやすくなるという問題点があった。また、従来のキートップ構造体を防水性の面から見ると、ケースに組み込んだ状態で防水性が確保されているとしても、実際にキートップを使用している時には、部材の変形や隙間などが生じやすくなっているため、防水性や防滴性はかなり不安定になる虞があった。
【０００６】
図３(５)は、従来のキートップを保持する構造の別の例を示す図である。ここでのキートップ部材５０は、外観が円形または楕円形状の本体部５１と筒状部５２との組み合わせから成り、筒状部５２の外周には円環状の防水リブ５２ａが外周面からその外側に突設されている。また、ケース体４０には穴部４１が穿設され、その穴部４１ではケース体４０の内面部４０ａが内壁面を形成しており、この内面部４０ａの内壁面と筒状部５２の防水リブ５２ａとが当接または密接することによって防水性を保持する構造としている。ところが、図３(５)の構造では、キートップ部材５０自体が剛性の低い軟性の材料からできていて、防水リブ５２ａが圧縮されるか潰れされるかの力が働きにくい構造となっているため、防水性をそれほど期待することができない、という問題点がある。
【０００７】
本発明のようなキートップ構造体やキートップの取り付け構造の技術分野に係る特許文献としては、例えば、次のようなものがある。
【特許文献１】特開平０６−２９０６７１号公報
【特許文献２】特開平０９−２５９６８７号公報
【発明の開示】
【発明が解決しようとする課題】
【０００８】
上述のように、従来のキートップ構造体やその取り付け構造にあっては、ケースに取り付けたキートップ構造体が外力によって外れやすく、防水性能が十分に確保できないなどの問題点がある。また、キートップ構造体や取り付け構造を形成(製作)する上でも、構成部材の組み立て作業性や取り付け作業性が良好であることが望まれる。
本発明は、外から容易に外れることがなく、防水や防滴性能を安定させ、組立作業性にも優れたキートップ構造体を提供することを、その目的としている。
【課題を解決するための手段】
【０００９】
（１）キートップ本体部とこれに内設されるホルダー部とを備え、所定箇所に取り付けられるキートップ構造体であって、
前記キートップ本体部は、外部に露出される外面部と、前記所定箇所に合わせた形状を有する外周側面部と、前記ホルダー部を密接して受け入れるための内設部とを備え、
前記ホルダー部は、前記内設部の内部形状に合わせられた外観形状をなし、前記所定箇所で係止して外れを防止する係止部を備える、ことを特徴とするキートップ構造体とした。
【００１０】
（２）キートップ本体部とこれに内設されるホルダー部とを備え、所定箇所に取り付けられるキートップ構造体であって、
前記キートップ本体は、外部に露出される外面部と、前記所定箇所に合わせた形状を有する外周側面部と、前記ホルダー部を密接して受け入れるための筒状の内設部と、前記所定箇所で係止して外れを防止する係止部とを備え、
前記ホルダー部は、前記内設部の内部形状に合わせられた外観形状をなす、ことを特徴とするキートップ構造体とした。
【００１１】
（３）(１)または(２)のキートップ構造体において、
前記キートップ本体の外周側面部に防水用のリブを設けてもよい。
（４）(１)または(２)のキートップ構造体において、
前記キートップ本体の内設部の中に、前記外面部の内側から突出させて突設部を設けてもよい。
【発明の効果】
【００１２】
本発明のキートップ構造体によれば、ケースの孔部などに取り付けられたキートップ構造体が、外からのこじり等の力によって外れたり変形したりすることがない堅固な構造を有し、防水性能を十分に確保でき、構成部材の組み立て作業性に優れ、キートップ構造体のケースなどへの取り付け作業性を良好に行うことができる。
【発明を実施するための最良の形態】
【００１３】
図１は本発明によるキートップ構造体の一実施形態にかかる図であり、キートップ構造体１００を分解して示す外観斜視図である。ここでのキートップ構造体１００は、キートップ本体部１０とこれに内設されるホルダー部２０の２つの構成部材を備え、これら２部材を一体的に組み合わせた状態にして、所定の箇所に取り付けられるものであり、例えば、通信機器のＰＴＴスイッチなどの構造に用いられるのが好適である。
【００１４】
このキートップ本体部１０は、全体としてはフランジのような形状をなし、鍔部１１と管状部１２とを一体化して組み合わせた構成体としてとらえることができる。この鍔部１１は、外部(表面)に露出される外面部１１ｇと、取り付けられる所定箇所に合わせた形状に形成された外周側面部１１ａとを有する。また、この管状部１２は、取り付けられる所定箇所に合わせた形状を有する外周側面部１２ａと、ホルダー部２０を中に密接して受け入れるための内設部１２ｎとを有する。また、この管状部１２には、外周側面部１２ａの全周にわたって円環状の防水用のリブ１２ｔが設けられており、このリブ１２ｔは管状部１２と一体的に形成または成型されていてもよく、別体としての例えばゴムバンドなどを巻きつけるか嵌め込むかして構成したものでもよい。
【００１５】
このキートップ本体部１０の鍔部１１の外面(表面)は平板状または平面状をなしており、例えば無線通信機器のＰＴＴスイッチの押圧部として用いられる。そして、スイッチとして機能させるために、この鍔部１１の内面の中央部から所定箇所にある無線通信機器の内部へ向けて、円柱状または棒状の突設部１３を形成しておき、この突設部１３によって、その先端部が無線通信機器の内部のＰＴＴスイッチに当接して押圧し、スイッチを動作させる構造となっている。
【００１６】
ここで、キートップ本体部１０の鍔部１１や管状部１２の外観的な形状について述べれば、キートップ本体部１０を所定箇所に組み込む都合上、取り付けられるその所定箇所に合わせた形状としなければならない。例えばＰＴＴスイッチの場合には、鍔部１１や管状部１２については断面円形や楕円形などとするのが、設計的には好まれるであろうが、その他にも断面矩形体や多角形などの種々の形状を取る場合もありうる。
【００１７】
さて、図１のキートップ構造体１００において、キートップ本体部１０内に配置設定されるホルダー部２０は、キートップ本体部１０の内設部１２ｎの内部形状に合わせられた外観形状をなすような筒状部２１を有し、さらに取り付けられた所定箇所において係止して外れを防止する係止部２２を有している。図１(１)において、ホルダー部２０は、全体的には断面円形や楕円形などの形状からなる筒状部２１と、その筒状部２１の一方の端部には円環状リブ体２１ａを有し、また、他の端部側からは端面から突設させてケース体の裏面に係止する係止部２２を設けている。
【００１８】
図１(２)(３)は、キートップ本体部１０内にホルダー部２０を組み入れてキートップ構造体１００を構成する状況を説明するためのＢ−Ｂ断面図である。ここでのキートップ本体部１０とホルダー部２０とは、ゴムや樹脂などの軟性材料または弾性に富む材料で形成されており、キートップ本体部１０の内設部１２ｎは、ホルダー部２０の外形と合わせられた内部形状として形成され、ホルダー部２０の円環状リブ体２１ａを収納するために、内設部１２ｎの奥にはリブ収納部１２ｒが設けられている。このようにして、ホルダー部２０はキートップ本体部１０の内部にぴったりと収納されて一体的なキートップ構造体１００として構成される。
【００１９】
図１(２)に示すように、キートップ本体部１０内の内設部１２ｎに、矢印の方向でホルダー部２０が組み込まれると、次の図１(３)に示すように、一体物のキートップ構造体１００が構成される。このキートップ構造体１００は、外部(表面)に露出される外面部１１ｇと、取り付け所定箇所に合わせた形状を有する外周側面部(１１ａ−１２ａ)と、外れを防止する係止部２２とを備えており、２つの構成部材が組み合わされて一体化されたキートップ構成体１００である。
【００２０】
つぎの図１(４)は、キートップ構造体１００が取り付けられる所定箇所となるケース体４０の断面図である。ここでのケース体４０には表面から裏面に貫通する穴部４１が設けられ、その穴部４１の周縁部は外面側と内面側との大きさが異なるように設計されており、ケース体４０の内側の穴部４１が外面側よりも面積小または径小となっているため、段差部４０ｂを境にして内側内縁部４０ａと外側内縁部４０ｃとが形成されている。
【００２１】
またつぎの図１(５)は、ケース体４０の穴部４１にキートップ構造体１００が取り付けられた状態を示す断面図である。キートップ構造体１００は、外部に露出される外面部１１ｇと、ケース体４０の穴部４１に合わせた形状を有する外周側面部(１１ａ−１２ａ)と、係止部２２とを備えている。このキートップ構造体１００の外周側面部(１１ａ−１２ａ)は、穴部４０の内面である［外側内縁部４０ｃ−段差部４０ｂ−内側内縁部４０ａ］と、形状的に一致されるように設計されており、このケース体４０の穴部４１にキートップ構造体１００が配置設定されると、隙間がなく変形しにくい堅固なキートップ構造が形成される。
【００２２】
この図１(５)の構造において、キートップ構造体１００の外面部１１ｇは、ケース体４０の穴部４１の表面４２側(外側)に露出されて、ＰＴＴスイッチなどとして利用される。また、キートップ構造体１００の係止部２２は、ケース体４０の裏面４３側(内側)からフック状またはツメ状に突出され、穴部４１の縁部またはその周囲で係止されるように構成されており、キートップ構造体１００の抜け・外れ・位置ズレ・変形などを防止するように機能することができる。
【００２３】
さて図２は、本発明によるキートップ構造体の別の実施形態にかかる図であり、キートップ構造体２００は、キートップ本体部６０とこれに内設されるホルダー部７０とを備え、ケース体４０の穴部４１などの所定箇所に取り付けられる部材である。ここでのキートップ本体部６０は、外部に露出される外面部６１ｇと、取り付け箇所となるケース体４０の穴部４１に合わせられた形状を有する外周側面部(６１ａ６２ａ)と、ホルダー部７０を内部に密接させて受け入れるための筒状の内設部６２ｎとを備えている。また、他の構成として、ケース体４０の裏面４３側(内側)から突出されて、穴部４１の縁部(周囲)で係止して外れを防止する係止部６３(フック部材またはツメ部材)が、キートップ本体部６０と一体的に形成されている。
【００２４】
そして、このキートップ構造体２００のホルダー部７０は、全体としては内部が空洞で筒状のフランジ形状またはハット形状をなしており、筒状部７１とその片方の端面に設けられた円環状縁部７３とを有している。ホルダー部７０全体の外観形状は、キートップ本体部６０の内設部６２ｎの内部形状に合わせられた形状をなすよう構成されているが、円環状縁部７３はキートップ本体部６０の係止部６３に内側面(裏面)から当接して押圧するような位置に配置されるように設計されている。
【００２５】
図２に示したキートップ構造体２００は、キートップ本体部６０とホルダー部７０とを所定箇所に取り付けるにあたっては、先にキートップ本体部６０だけをケース体４０に据え付けてから、その後にホルダー部７０を挿入して取り付けるようにすると、作業効率がよい。また、予めキートップ本体部６０とホルダー部７０とを一体化して組み合わせておいてからケース体４０の穴部４１に据え付けることも可能である。
【００２６】
キートップ構造体２００では、キートップ本体部６０の中の内設部６２ｎには、ホルダー部７０の筒状部７１の外面が密接して配設され、キートップ本体部６０の係止部６３には、ホルダー部７０の円環状縁部７３の内壁部７２が当接または密接して配設され、ホルダー部７０がキートップ本体部６０を内部から支持または保持するような堅固な構造となっており、キートップ本体部６０の係止部６３もホルダー部７０の円環状縁部７３によって外側から押さえ付けられて、変形やズレを防止する構造となっている。
【００２７】
以上のように、本発明によるキートップ構造体では、キートップ本体部とホルダー部との２つの部材を組み合わせて一体化させた構成とすることができ、安定して均一的に押し当てられる接触構造を備えることにより、取り付け箇所において、堅固で隙間がなく水密度の高いキートップ構造を形成することができる。また、本発明によるキートップ構造体は、従来のものと同様に、ゴムなどの軟性材料を変形させて真っ直ぐ押し込んで、容易にケースに取り付けることができ、従来のものと比べても違和感が無く、作業者らは容易に所定箇所に適用することができて、部材の組み立てや作業の効率化の面にも優れている。
【図面の簡単な説明】
【００２８】
【図１】本発明によるキートップ構造体の一実施形態にかかる図であり、図１(１)はキートップ構造体１００を分解した外観斜視図であり、図１(２)〜(５)はＡ−Ａ断面図によってキートップ構造体１００の取り付けを説明するための図である。
【図２】本発明によるキートップ構造体の別の実施形態を説明するための断面図を含む説明図である。
【図３】従来のキートップ構造を説明するための図である。
【符号の説明】
【００２９】
１００、２００  キートップ構造体
１０、６０      キートップ本体部
２０、７０      ホルダー部
１１    鍔部
１２    管状部
１１ｇ  外面部
１１ａ  外周側面部
１２    管状部
１２ａ  外周側面部
１２ｎ  内設部
１２ｒ  リブ収納部
１３    突設部
２１    筒状部
２１ａ  円環状リブ体
２２    係止部
２１ａ  円環状リブ体
４０    ケース体
４１    穴部
４０ｂ  段差部
４０ａ  内側内縁部
４０ｃ  外側内縁部
６０    キートップ本体部
７０    ホルダー部
６１ｇ  外面部
６１ａ、６２ａ  外周側面部
６２ｎ  内設部
６３    係止部
７１    筒状部
７２    内壁部
７３    円環状縁部
【図１】
2007123118.tif 000003
【図２】
2007123118.tif 000004
【図３】
2007123118.tif 000005